(57)【要約】【課題】  コンクリート中空床版に好適にアンカーボルトを設置することができるコンクリート中空床版に対するアンカーボルト設置方法の提供を目的とする。【解決手段】  コンクリート中空床版１の下面より中空部５に達するアンカーボルト挿通孔１０を設け、アンカーボルト挿通孔１０よりアンカーボルト２を挿入し、アンカーボルト２の一部を中空部５内に突出させ、中空部５内のアンカーボルト２の周囲にモルタル等の固化材１２を注入し、中空部５内にアンカーボルト２と一体化した抜け止め部１３を成形し、抜け止め部１３によりコンクリート中空床版１に対しその下面より突出させた配置にアンカーボルト２を設置する。【選択図】  図１
2007040038.tif 000002
【特許請求の範囲】
【請求項１】
床版長手方向に向けた中空部を有するコンクリート中空床版に対し、その下面より突出させた配置にアンカーボルトを設置するコンクリート中空床版に対するアンカーボルト設置方法において、
前記コンクリート中空床版の下面より前記中空部に達するアンカーボルト挿通孔を設け、該アンカーボルト挿通孔より前記アンカーボルトを挿入し、前記アンカーボルトの一部を前記中空部内に突出させ、前記中空部内の前記アンカーボルトの周囲にモルタル等の固化材を注入し、前記中空部内に前記アンカーボルトと一体化した抜け止め部を成形し、該抜け止め部により前記コンクリート中空床版に対し前記アンカーボルトを設置することを特徴としてなるコンクリート中空床版に対するアンカーボルト設置方法。
【請求項２】
前記アンカーボルト挿通孔径よりも大きく広がる形状の流れ防止用袋を、袋内にアンカーボルトを挿入した配置に前記中空部内に設置しておき、該流れ防止用袋内に前記固化材を注入して前記抜け止め部を成形する請求項１に記載のコンクリート中空床版に対するアンカーボルト設置方法。
【請求項３】
アンカーボルトは、中空部挿入側の端部にナットを締め付けたものである請求項１に記載のコンクリート中空床版に対するアンカーボルト設置方法。
【請求項４】
半円環状のアンカーボルトを使用し、中空部長手方向に間隔をおいて一対のアンカーボルト挿通孔を形成し、前記アンカーボルトを一方の挿通孔より挿入して周方向に回転させ、前記両挿通孔より前記アンカーボルトの端部を突出させ、その状態で固化材を注入する請求項１に記載のアンカーボルト設置方法。
【請求項５】
前記半円環状アンカーボルトは、円環を４分割した形状のアンカーボルトを途中まで挿入した後、４分割円環状アンカーボルトを継ぎ足してなる請求項４に記載のアンカーボルト設置方法。
【請求項６】
固化材には、高粘性のものを使用する請求項１〜４又は５に記載のアンカーボルト設置方法。
【請求項７】
固化材には、高強度モルタルを使用する請求項１〜５又は６に記載のアンカーボルト設置方法。
【発明の詳細な説明】
【技術分野】
【０００１】
本発明は、例えば、落橋防止に用いられるアンカーボルトをコンクリート中空床版に設置するコンクリート中空床版に対するアンカーボルト設置方法に関する。
【背景技術】
【０００２】
従来、高架道路橋や河川橋には、重量を軽減することによる長スパン化や施工性向上等を目的としてコンクリート床版桁の内部に中空部を有するコンクリート中空床版が用いられている（例えば、特許文献１を参照）。
【０００３】
このコンクリート中空床版１は、図７、図８に示すように、床版１の下面より突出させた配置にアンカーボルト２，２…が設置され、このアンカーボルト２を介して橋台や橋脚等の下部工３に設置された変位制限装置４等に固定されるようになっている。
【０００４】
アンカーボルト２は、十分な付着強度を得るために中空部５を避けてコンクリート部内に埋め込まれている。
【０００５】
尚、変位制限装置４は、例えば、アンカーボルト２によりコンクリート中空床版１に固定され、下部工３を挟むように配置された一対の長手方向制止部材６，６と、両長手方向制止部材６，６の両側部に配置され、下部工３の側壁面にアンカーボルト７，７…により固定された幅方向制止部材８，８とを備え、橋長手方向及び幅方向の変位を制限するようになっている。
【特許文献１】特開２０００−２８２４１６号公報
【発明の開示】
【発明が解決しようとする課題】
【０００６】
しかし、上述の如き従来の技術では、中空部以外のコンクリート部に、床版全体の強度維持に必要な鉄筋やＰＣ緊張材が配置されていることが多く、中空部を避けてアンカーボルトを設置しようとすると鉄筋やＰＣ緊張材を傷つけるおそれがあり、また、鉄筋やＰＣ緊張材が複雑に配置されている場合には、アンカーボルトを設置する部分を確保できないという問題があった。
【０００７】
そこで本発明は、上述の従来技術の問題を鑑み、コンクリート中空床版に好適にアンカーボルトを設置することができるコンクリート中空床版に対するアンカーボルト設置方法の提供を目的とする。
【課題を解決するための手段】
【０００８】
上述の如き従来の問題を解決し、所期の目的を達成するための請求項１に記載の発明は、床版長手方向に向けた中空部を有するコンクリート中空床版に対し、その下面より突出させた配置にアンカーボルトを設置するコンクリート中空床版に対するアンカーボルト設置方法において、前記コンクリート中空床版の下面より前記中空部に達するアンカーボルト挿通孔を設け、該アンカーボルト挿通孔より前記アンカーボルトを挿入し、前記アンカーボルトの一部を前記中空部内に突出させ、前記中空部内の前記アンカーボルトの周囲にモルタル等の固化材を注入し、前記中空部内に前記アンカーボルトと一体化した抜け止め部を成形し、該抜け止め部により前記コンクリート中空床版に対し前記アンカーボルトを設置するコンクリート中空床版に対するアンカーボルト設置方法であることを特徴とする。
【０００９】
請求項２に記載の発明は、請求項１の構成に加え、前記アンカーボルト挿通孔径よりも大きく広がる形状の流れ防止用袋を、袋内にアンカーボルトを挿入した配置に前記中空部内に設置しておき、該流れ防止用袋内に前記固化材を注入して前記抜け止め部を成形することを特徴とする。
【００１０】
請求項３に記載の発明は、請求項１の構成に加え、アンカーボルトは、中空部挿入側の端部にナットを締め付けたものであることを特徴とする。
【００１１】
請求項４に記載の発明は、請求項１の構成に加え、半円環状のアンカーボルトを使用し、中空部長手方向に間隔をおいて一対のアンカーボルト挿通孔を形成し、前記アンカーボルトを一方の挿通孔より挿入して周方向に回転させ、前記両挿通孔より前記アンカーボルトの端部を突出させ、その状態で固化材を注入することを特徴とする。
【００１２】
請求項５に記載の発明は、請求項４の構成に加え、前記半円環状アンカーボルトは、円環を４分割した形状のアンカーボルトを途中まで挿入した後、４分割円環状アンカーボルトを継ぎ足してなることを特徴とする。
【００１３】
請求項６に記載の発明は、請求項１〜４又は５の構成に加え、固化材には、高粘性のものを使用することを特徴とする。
【００１４】
請求項７に記載の発明は、請求項１〜５又は６の構成に加え、固化材には、高強度モルタルを使用することを特徴とする。
【発明の効果】
【００１５】
本発明に係るコンクリート中空床版に対するアンカーボルト設置方法は、床版長手方向に向けた中空部を有するコンクリート中空床版に対し、その下面より突出させた配置にアンカーボルトを設置するコンクリート中空床版に対するアンカーボルト設置方法において、前記コンクリート中空床版の下面より前記中空部に達するアンカーボルト挿通孔を設け、該アンカーボルト挿通孔より前記アンカーボルトを挿入し、前記アンカーボルトの一部を前記中空部内に突出させ、前記中空部内の前記アンカーボルトの周囲にモルタル等の固化材を注入し、前記中空部内に前記アンカーボルトと一体化した抜け止め部を成形し、該抜け止め部により前記コンクリート中空床版に対し前記アンカーボルトを設置することによって、抜け止め部により十分な強度が確保され、中空部を避けずともアンカーボルトを設置することができ、コンクリート床版中に配置された鉄筋やＰＣ緊張材を傷つけない。
【００１６】
また、前記アンカーボルト挿通孔径よりも大きく広がる形状の流れ防止用袋を、袋内にアンカーボルトを挿入した配置に前記中空部内に設置しておき、該流れ防止用袋内に前記固化材を注入して前記抜け止め部を成形することによって、固化材が不要な部分に流れ出すのを防止することができる。
【００１７】
また、アンカーボルトは、中空部挿入側の端部にナットを締め付けたものであることによって、ナットにより固化材に対する付着強度が向上し、固化材の量を少なくすることができる。
【００１８】
半円環状のアンカーボルトを使用し、中空部長手方向に間隔をおいて一対のアンカーボルト挿通孔を形成し、前記アンカーボルトを一方の挿通孔より挿入して周方向に回転させ、前記両挿通孔より前記アンカーボルトの端部を突出させ、その状態で固化材を注入することによって、アンカーボルトの曲線フック効果により引張力を保持することができる。
【００１９】
前記半円環状アンカーボルトは、円環を４分割した形状のアンカーボルトを途中まで挿入した後、４分割円環状アンカーボルトを継ぎ足してなることによって、スムースに半円環状のアンカーボルトを中空部内に挿入することができる。
【００２０】
固化材には、高粘性のものを使用することによって、その形状保持性能で不要な部分に固化材が流れ出すのを防止することができる。
【００２１】
固化材には、高強度モルタルを使用することによって、必要最低限の量で足りる。
【発明を実施するための最良の形態】
【００２２】
次に、本発明に係るアンカーボルトの設置方法について説明する。尚、上述の実施例と同一の部分には同一符号を付して説明する。
【００２３】
図１は本発明方法によるアンカーボルト設置状態の一例を示し、図中符号１はコンクリート中空床版、符号２はアンカーボルトである。
【００２４】
コンクリート中空床版１は、図７、図８に示す従来例と同様に、床版長手方向に向けた中空部５，５…を有している。
【００２５】
このコンクリート中空床版１は、床版下面より突出させた配置にアンカーボルト２が設置され、このアンカーボルト２を介して橋台、橋脚等の下部工に設置された変位制限装置等に固定されるようになっている。
【００２６】
このアンカーボルト２の設置は、まず、所定の箇所にコアボーリングマシーン等により床版下面より中空部５に到達するアンカーボルト挿通孔１０を形成する。
【００２７】
このアンカーボルト挿通孔１０の内径は、アンカーボルト２の外径より十分に大きく、アンカーボルト２を挿入した状態で隙間からモルタル等の固化材を注入できる大きさとする。
【００２８】
次に、図２に示すように、アンカーボルト２の挿入側に流れ防止用袋１１を被せ、それをアンカーボルト挿通孔１０より中空部５内に挿入し、アンカーボルト２の一部を中空部５内に突出させる。
【００２９】
このとき、流れ防止用袋１１の基端開口部は、床版下面より下側に出した状態にしておく。
【００３０】
尚、先に流れ防止用袋１１を中空部内に挿入しておき、そこにアンカーボルト２を挿入するようにしてもよい。
【００３１】
そして、基端側開口部より防止用袋１１内にモルタル等の固化材１２を注入し、流れ防止用袋１１内に固化材１２を充填する。
【００３２】
この流れ防止用袋１１は、広がった際に、外形がアンカーボルト挿通孔１０の内径よりも大きくなるように形成されており、固化材１２を充填し、十分養生し硬化させることにより、外形が流れ防止用袋１１に覆われ、アンカーボルト挿通孔１０の内径よりも外形が大きい抜け止め部１３が、中空部５内のアンカーボルト２の周囲にアンカーボルト２と一体化されて形成される。
【００３３】
このようにアンカーボルト挿通孔１０の内径よりも大きい抜け止め部１３が形成されたことにより、アンカーボルト２がコンクリート中空床版１に対し、その下面より突出させた配置に抜け出し不能に設置される。
【００３４】
尚、流れ防止用袋１４は、上述の形態に限定されず、その他図３に示す如き形状であってもよい。
【００３５】
この流れ防止用袋１４を使用することにより、袋１４が広がった際、即ち、流れ防止用袋１４内に固化材１５が充填された際に、下端にフランジ部１６を有する抜け止め部１７が形成されるようになっている。
【００３６】
また、この場合、アンカーボルト２の周囲の固化材量が少ないので強度を得るために、固化材１５には、高強度モルタルを使用する。
【００３７】
更に、流れ防止用袋は、バルーン（風船）等のように伸縮性を有するものであってもよい。
【００３８】
また、上述の実施例では、流れ防止用袋１１を用いた例について説明したが、流れ防止用袋１１を使用せずに、図４に示すように、アンカーボルト挿通孔１０よりアンカーボルト２を中空部５内に挿入し、その状態でアンカーボルト２の周囲に直接固化材１８を注入して抜け止め部１９を形成するようにしてもよい。
【００３９】
この場合、固化材１８には、高粘性のものを使用し、その固化材１８の形状保持性能により、不要な部分に固化材が流れるのを防止するようになっている。
【００４０】
更に、アンカーボルト２は、図５に示すように、その挿入側端部にナット２０を締め付けたナット付アンカーであってもよい。この場合、ナット２０を取り付けたことにより固化材に対する付着強度が向上するので、アンカーボルト２の長さを短くでき、また、注入する固化材（高粘性）１８の量も少なくて済む。
【００４１】
次に、図６は本発明方法によるアンカーボルトの設置方法の更に他の一例を示し、図中符号１はコンクリート中空床版、符号５は中空部である。
【００４２】
このアンカーボルト２の設置構造は、円環状のアンカーボルト４０を使用し、このアンカーボルト４０が中空部５長手方向に間隔をおいて形成されたアンカーボルト挿通孔４１，４１より両端を突出させた配置に設置されている。
【００４３】
このアンカーボルト４０は、両端部にネジ部４２，４２を有する四半円環状の弧状アンカーボルト４３，４３をもって構成され、一対の弧状アンカーボルト４３，４３の端部間をカプラー４４により連結し、半円環状に形成されている。
【００４４】
このアンカーボルト４０の設置方法は、まず、図６（ａ）に示すように、所定の間隔、即ち、アンカーボルト４０の直径に合わせて床版下面より中空部５内に到達する一対のアンカーボルト挿通孔４１，４１をコアボーリングマシーン等により形成する。
【００４５】
次に、四半円環状アンカーボルト４３を一方のアンカーボルト挿通孔４１よりアンカーボルト周方向（以下、単に周方向と記す）に回転させながら挿入する。
【００４６】
そして、図６（ｂ）に示すように、途中、即ち四半円環状アンカーボルト４３の略中間まで挿入した位置で、端部にカプラー４４を介して、もう一つの四半円環状アンカーボルト４３を連結し、半円環状のアンカーボルト４０とする。
【００４７】
この状態でアンカーボルト４０を更に周方向に一方の端部が他方のアンカーボルト挿通孔４１，４１より突出する位置まで回転させる。
【００４８】
それにより、アンカーボルト４０は、両端部が床版下面より突出させ、その他の部分が中空部５内に配置される。
【００４９】
この状態で、図６（ｃ）に示すように、両アンカーボルト挿通孔４１，４１より中空部５内のアンカーボルト４０の周囲に固化材を注入する。
【００５０】
このとき、固化材には、高粘性のものを使用し、その形状保持性能により固化材が不要な部分に流れ出すのを防止している。
【００５１】
そして、固化材を養生させ硬化することにより抜け止め部４５が形成され、アンカーボルト４０が端部を床版下面より突出させた配置に設置される。
【００５２】
尚、上述の実施例では、アンカーボルトを変位制限装置に固定するために使用する例を挙げたが、その他、落橋防止装置や床版の下側に遮音板を設置する場合等に供するものであってもよい。
【図面の簡単な説明】
【００５３】
【図１】本発明方法により設置されたアンカーボルトの設置状態の一例を示す断面図である。
【図２】同上のアンカーボルト設置方法におけるアンカーボルト挿入工程の状態を示す断面図である。
【図３】本発明方法により設置されたアンカーボルトの設置状態の他の一例を示す断面図である。
【図４】本発明方法により設置されたアンカーボルトの設置状態の更に他の一例を示す断面図である。
【図５】本発明方法により設置されたアンカーボルトの設置状態の更に他の一例を示す断面図である。
【図６】（ａ）〜（ｃ）は本発明方法に係るアンカーボルトの設置工程を示す断面図である。
【図７】従来のコンクリート中空床版の変位制限構造を示す断面図である。
【図８】同上のＡ−Ａ線断面図である。
【符号の説明】
【００５４】
１  コンクリート中空床版
２  アンカーボルト
５  中空部
１０  アンカーボルト挿通孔
１１  流れ防止用袋
１２  固化材（モルタル）
１３  抜け止め部
１４  流れ防止用袋
１５  固化材（高強度モルタル）
１６  フランジ部
１７  抜け止め部
１８  高粘性固化材
１９  抜け止め部
２０  ナット
４０  アンカーボルト
４１  アンカーボルト挿通孔
４２  ネジ部
４３  四半円環状アンカーボルト
４４  カプラー
４５  抜け止め部
【図１】
2007040038.tif 000003
【図２】
2007040038.tif 000004
【図３】
2007040038.tif 000005
【図４】
2007040038.tif 000006
【図５】
2007040038.tif 000007
【図６】
2007040038.tif 000008
【図７】
2007040038.tif 000009
【図８】
2007040038.tif 000010